(57)【特許請求の範囲】
【請求項１】
光を透過させる発光面および前記発光面を支持する支持枠を備えた枠体の内部に、前記発光面を内部側から照らす長尺で円柱状の発光手段および前記発光手段からの光を前記発光面に向けて反射させる反射手段が設けられた発光装置であって、
前記発光手段は、
その外周面に光を発する発光部および周方向の所定範囲で且つ長手方向に沿った非発光部を備えており、複数が、その長手方向に互い違いになるように前記支持枠において対向する内壁面の一方および他方に、かつ前記非発光部側が前記内壁面に対向するように取り付けられ、
前記反射手段は、細長い略矩形の板状であって、その長手方向を当該発光手段の長手方向に略沿わせ且つ当該発光手段から離れるにつれて前記発光面に近づくように、前記発光手段ごとに設けられており、
互い違いにその長手方向に隣り合う前記発光手段は、前記内壁面が対向する方向から見たときに一部が重なり、
前記隣り合う発光手段ごとに設けられた前記反射手段は、その長手方向における隣接するその端縁が、いずれも前記隣り合う発光手段が重なる範囲に配された
ことを特徴とする発光装置。
【請求項２】
前記枠体は、正対する前後位置に前記発光面を２つ有した略直方体であって、
前記反射手段は、前記発光手段から離れるにつれて側面視で前後に幅広となるように、前記発光手段を取り付けた内壁面と対向する前記支持枠の内壁面から略Ｖ字形状に立設されている
ことを特徴とする請求項１に記載の発光装置。
【請求項３】
前記反射手段は、前記発光手段の発光部からの光を前記発光面の内部側全域へ均一に反射可能となるように、前記略Ｖ字形状内側へ湾曲している
ことを特徴とする請求項２に記載の発光装置。
【請求項４】
前記枠体は、前面に前記発光面を設けた略直方体であって、
前記反射手段は、前記発光手段を取り付けた内壁面と対向する前記支持枠の内壁面から斜めに立設され、先端部が前記発光手段の前後中心より前記発光面とは反対側に位置している
ことを特徴とする請求項１に記載の発光装置。
【請求項５】
前記反射手段は、前記発光手段の発光部からの光を前記発光面の内部側全域へ均一に反射可能となるように、前記発光面とは反対側へ湾曲している
ことを特徴とする請求項４に記載の発光装置。
【請求項６】
前記発光手段は、透明又は半透明の筒状体と、この筒状体の内周面に軸方向に沿って並設されたＬＥＤ素子とを有し、前記筒状体の外周面において、内部からの光が透過して発光する部分を前記発光部とし、前記ＬＥＤ素子を取り付けられて内部からの光が遮断された部分を前記非発光部としている
ことを特徴とする請求項１〜５のいずれか１項に記載の発光装置。
【請求項７】
前記発光手段は、前記筒状体の端部に蛍光灯用の端子台に差し込み可能な電源端子を有している
ことを特徴とする請求項６に記載の発光装置。
【発明の詳細な説明】
【技術分野】
【０００１】
本発明は、案内板、広告装置、非常口標識等の発光面を有する発光装置に関するものである。
【背景技術】
【０００２】
従来、駅のホームなどの案内板や、広告宣伝用看板、建物内の非常口標識、ドアサイン、エレベータの階数表示盤等の表示板を有した照明式表示装置が知られている。
このような照明式表示装置は、駅舎や建物内外の天井、壁、ドア等に組み込んで内蔵型としたり、或いは表示板、光源を取り付けた所望形状のフレームを吊り下げて独立型とするなど様々な用途に対応できる。
【０００３】
特許文献１には、標識部分を備えた表示板、及びこれを用いた照明式表示装置の技術が開示されている。
この技術において、表示板は、透光性基板の表面に標識部分が設けられ、裏面に光反射部が取り付けられ、この光反射部は裏面のうち表面の標識部分を除いた箇所に形成されている。
【０００４】
また、特許文献１の照明式表示装置は、表示板の裏面側に投射空間を挟んで光反射面が設けられ、投射空間の外側に光源が設けられ、その光源から投射空間に投射された光が表示板の裏面に照射されて標識を照明し、表示板裏面の光反射部で反射された光は光反射面側に反射され、その光反射面により表示板の裏面側に戻し反射されて表示板の標識を照明することを特徴としている。
【０００５】
すなわち、上述した照明式表示装置は、正面視で略ロ字状の周枠と、この周枠の前面に取り付けられた表示板と、周枠の後面内側に設けられた光反射面と、周枠の内壁で投射空間を囲うフレームと、このフレームの内側壁に取り付けられた多数の光源とを有している。
【先行技術文献】
【特許文献】
【０００６】
【特許文献１】特開２００８−１３９５１１号公報
【発明の概要】
【発明が解決しようとする課題】
【０００７】
しかしながら、上記従来の照明式表示装置は、表示板の裏面側に対して周辺側方から光を投射しているため、表示板の中央付近は周枠付近よりも暗くなる。また、表示板とその後方の光反射面とは略平行に配置され（つまり、表示板と光反射面との距離は、周枠付近も中央付近も変わらない）且つ光源から離れるにつれて光反射面からの反射光も弱まるため、光反射面を設けていても、表示板の中央付近を反射光によって明るく照らすことはできない。
【０００８】
さらに、光源がフレームの内側壁に一定間隔を置いて取り付けられているため、光源に近い表示板の周辺部分にも明るさにムラができるという問題がある。
そこで、本発明は、上述した問題点を鑑み、長尺で円柱状の発光手段の非発光部側を枠体の内壁面に取り付け、発光手段からの光を反射させる反射手段を発光手段から離れるにつれて発光面に近づくように設けることで、発光手段から遠い部位でも十分な光量を確保でき、明るさのムラを抑えることができる発光装置を提供することを目的とする。
【課題を解決するための手段】
【０００９】
前記目的を達成するため、本発明は、以下の技術的手段を採用した。
本発明に係る発光装置は、光を透過させる発光面および前記発光面を支持する支持枠を備えた枠体の内部に、前記発光面を内部側から照らす長尺で円柱状の発光手段および前記発光手段からの光を前記発光面に向けて反射させる反射手段が設けられた発光装置であって、前記発光手段は、その外周面に光を発する発光部および周方向の所定範囲で且つ長手方向に沿った非発光部を備えており、複数が、その長手方向に互い違いになるように前記支持枠において対向する内壁面の一方および他方に、かつ前記非発光部側が前記内壁面に対向するように取り付けられ、前記反射手段は、細長い略矩形の板状であって、その長手方向を当該発光手段の長手方向に略沿わせ且つ当該発光手段から離れるにつれて前記発光面に近づくように、前記発光手段ごとに設けられており、互い違いにその長手方向に隣り合う前記発光手段は、前記内壁面が対向する方向から見たときに一部が重なり、前記隣り合う発光手段ごとに設けられた前記反射手段は、その長手方向における隣接するその端縁が、いずれも前記隣り合う発光手段が重なる範囲に配されたことを特徴とする。
【００１０】
これにより、円柱状の発光手段の非発光部側を枠体の内壁面に取り付け、発光手段からの光を枠体の発光面の内部側へ反射させる反射手段を発光手段から離れるにつれて発光面に近づくように設けることで、発光手段から離れた部位であっても発光面との距離が近いため、反射光によって十分な光量を確保できる。これと共に、長尺状の発光手段の長手方向に沿って反射手段を設けているため、明るさのムラがなく広範囲に亘って光を照射することが可能となる。
【００１１】
また、前記枠体は、正対する前後位置に前記発光面を２つ有した略直方体であって、前記反射手段は、前記発光手段から離れるにつれて側面視で前後に幅広となるように、前記発光手段を取り付けた内壁面と対向する前記支持枠の内壁面から略Ｖ字形状に立設されていることが好ましい。
これにより、発光手段からの光を、照射ムラを抑えながら枠体前後両面の発光面に分散させることが可能となる。
【００１２】
前記反射手段は、前記発光手段の発光部からの光を前記発光面の内部側全域へ均一に反射可能となるように、前記略Ｖ字形状内側へ湾曲していることが好適である。
これにより、照射ムラをさらに抑えた光を、前後の発光面に対して同時に照射することができる。
さらに、前記枠体は、前面に前記発光面を設けた略直方体であって、前記反射手段は、前記発光手段を取り付けた内壁面と対向する前記支持枠の内壁面から斜めに立設され、先端部が前記発光手段の前後中心より前記発光面とは反対側に位置していることを特徴としてもよい。
【００１３】
これにより、反射手段の先端部が発光手段の前後中心より発光面とは反対側に位置していることで、枠体の片面（前面）に設けられた発光面に対して発光手段からの光を一様に照射することができる。
また、前記反射手段は、前記発光手段の発光部からの光を前記発光面の内部側全域へ均一に反射可能となるように、前記発光面とは反対側へ湾曲していることが好ましい。
【００１４】
これにより、発光面に対する照明ムラをさらに抑えることができる。
そして、前記発光手段は、透明又は半透明の筒状体と、この筒状体の内周面に軸方向に沿って並設されたＬＥＤ素子とを有し、前記筒状体の外周面において、内部からの光が透過して発光する部分を前記発光部とし、前記ＬＥＤ素子を取り付けられて内部からの光が遮断された部分を前記非発光部としていることとしてもよい。
【００１５】
これにより、消費電力を削減し、長寿命化を実現することで、取り換え費用などのランニングコストを低く抑えることが可能となる。
また、前記発光手段は、前記筒状体の端部に蛍光灯用の端子台に差し込み可能な電源端子を有していることが好適である。
これにより、既存の発光装置内に使用されている蛍光灯用の端子台の使用が可能となり、蛍光灯からの取り換え工費を安くすることができる。
【発明の効果】
【００１６】
本発明によると、非発光部側を枠体に取り付けた長尺の発光手段からの光を、発光面の内部側に反射させる反射手段を設けることで、発光手段から遠い部位でも十分な光量を確保でき、明るさのムラを抑えることができる。
【図面の簡単な説明】
【００１７】
【図１】本発明の第１実施形態に係る発光装置の斜視図である。
【図２】発光装置の側面図である。
【図３】発光面を外した発光装置の正面図である。
【図４】第２実施形態に係る発光装置の側面図である。
【発明を実施するための形態】
【００１８】
以下、本発明の実施形態を、図面に基づき説明する。
［第１実施形態］
図１〜３には、第１実施形態に係る発光装置１が示されている。
この発光装置１は、案内や広告物等の内容が表示された発光面２と、この発光面２を有する枠体４と、この枠体４内部に設けられた長尺で円柱状の発光手段５と、この発光手段５に対向するように枠体４内部に設けられた反射手段８とを有している。
【００１９】
なお、第１実施形態の説明においては、図１における手前側・奥手側を枠体４の前面側・後面側とする。
発光面２は、その表面に案内・業務表示や、貼り紙、貼り札などの広告物等が刻印又は貼り付けられていて、細長い略矩形状に形成されている。発光面２は、透光性のあるアクリル、セラミック等の板材で形成されており、発光面２の内部側（裏側）に光を照射することで、発光面２を介して枠体４の外部へ光が出射される。また、発光装置１を照明器具として用いた際には、発光面２は採光面の役割を果たす。
【００２０】
枠体４は、正面視で左右幅広の略直方体状に形成され、前記発光面２と、この発光面２を嵌め込んで支持する支持枠３とを有している。枠体４は、上部から立設するパイプ材（図示省略）を介して駅舎、デパート等の建造物の天井に取り付けられる。
支持枠３は、図３に示す如く、上述した発光面２を有した開閉枠２１と、この開閉枠２１を前後の開口部に取り付ける正面視で略ロ字型の外枠材２２と、この外枠材２２の上下側の内壁面に設けられ且つ前記発光手段５及び反射手段８を取り付ける台座２３と、この台座２３に設けられ且つ発光手段５の電源端子１２を差し込む端子台（ソケット）１１と、この端子台１１に漏電ブレーカー２４及び安定器２５を介して接続され且つ発光手段５に外部電源から電流を供給する電源配線(図示省略）とを有している。
【００２１】
開閉枠２１は、発光面２を取り囲んで支持する略ロ字型の枠部材であって、上部が前記外枠材２２の上面に対して蝶盤等の枢支具２１ａによって開閉自在に枢支されている。開閉枠２１の下部は、外枠材２２の下面に係止部材２６によって取り外し可能に固定される。よって、発光装置１設置後であっても、開閉枠２１を開けて、枠体４内部の発光手段５の取換などの作業をすることができる。
【００２２】
外枠材２２は、従来から設置されていて案内板、看板等を支持するための枠部材であって、鋼材、樹脂等によって正面視で左右幅広に形成されている。外枠材２２は、前記枢支具２１ａが取り付けられ且つ左右に長い略矩形の上板２２ａと、この上板２２ａの両端から下方向に延設した左右一対の側枠体２２ｂと、左右の側枠体２２ｂの下端間にわたって取り付けられた左右に長い略矩形の下板２２ｃとを有している。
【００２３】
上板２２ａの上面には、本実施形態においては、長手方向（左右方向）に沿って一定間隔ごとに設けられた４つの枢支具２１ａと、左右方向中途部に設けられた左右一対のパイプ材とが取り付けられている。このパイプ材の取付位置には、枠体４内部からの前記電源配線を挿通させる配線孔２７が設けられており、電源配線は、パイプ材内を通って建築物内に設置された電源に接続される。
【００２４】
側枠体２２ｂは、断面略Ｕ字状の柱体であって、内部には発光手段５によって発生する熱を外部に逃がすために、ファン等の換気手段が設けられている。側枠体２２ｂの上面には、防虫ネットを備えた熱抜き孔２８が設けられている。
下板２２ｃは、左右方向中途部に複数（本実施形態においては、２つ）の前記係止部材２６を有している。図２に示されたように、係止部材２６は、下板２２ｃの内壁に板厚方向に移動可能に取り付けられた係止板２９と、この係止板２９を下方から押圧して移動させる押込体３０と、係止板２９によって前後外方への移動が規制され且つ上述の開閉枠２１下端の内壁から立設した係止突起３１とを有している。
【００２５】
係止板２９は、略中央の孔に挿通された支持軸２９ａに沿って上下摺動可能であり、この支持軸２９ａに外嵌されたバネ２９ｂによって下向きに付勢されている。係止板２９の前後端には、下方に延設する係止片２９ｃが設けられており、係止片２９ｃは、前記開閉枠２１が閉じた状態で係止突起３１の切欠部３１ａに係合可能となるように配備されている。
【００２６】
したがって、この係止部材２６によって、開閉枠２１は、下端が外枠材２２に係止して閉じた状態で保持され、枠体４下面の外部から押込体３０を押し込むことで、バネ２９ｂの付勢力に逆らって係止板２９が上昇し、係止片２９ｃと係止突起３１の切欠部３１ａとの係合が外れ、開閉枠２１を上方に開くことが可能となる。
前記台座２３は、外枠材２２における上板２２ａの下面、及び下板２２ｃの上面に、長手方向に沿って設けられた長尺で断面略コ字状の板材である。台座２３は、上板２２ａ、下板２２ｃに対して、前記パイプ材と上板２２ａとを固定するボルト等の固定具や前記係止部材２６を覆うように取り付けられる。つまり、この台座２３を介して、発光手段５及び反射手段８は、外枠材２２の内壁面に沿うように取り付けられる。
【００２７】
なお、台座２３は、断面視で略コ字形状の角が面取りされており、この面取り部２３ａに後述する反射手段８の基端部８ａが取り付けられる。
また、台座２３の長さは、外枠材２２の上板２２ａ、下板２２ｃの長さと略同一であり、既存の外枠材２２の形状、大きさに応じて、長さ、幅、高さが規定される。
台座２３の内部側面（すなわち、上板２２ａ側の台座２３Ａの下面と、下板２２ｃ側の台座２３Ｃの上面）には、発光手段５の電源端子１２を嵌め込んで支持する端子台１１が設けられている。
【００２８】
この端子台１１は、蛍光灯用の丸形ソケットであり、図３に示す如く、長尺の各発光手段５両端を挟むように左右一対に設けられている。端子台１１の各対は、上側の台座（上台座）２３Ａの下面に対しては、枠体４（支持枠３）の長手方向の一端寄り（図３において右寄り）に取り付けられ、下側の台座（下台座）２３Ｃの上面に対しては、枠体４の長手方向の他端寄り（図３において左寄り）に取り付けられている。すなわち、端子台１１の各対は、枠体４の内壁面に上下に互い違いに取り付けられている。
【００２９】
図１〜３に示すように、発光手段５は、長尺で円柱状であって、内部にＬＥＤ素子１０を備えたＬＥＤ蛍光灯５である。
ＬＥＤ蛍光灯５は、透明又は半透明の筒状体９と、この筒状体９の内部に取り付けられたＬＥＤ素子１０と、両端に設けられた電源端子１２とを有している。
筒状体９は、外周面において、内部のＬＥＤ素子１０からの光が透過して発光する部分（発光部６）と、ＬＥＤ素子１０が取り付けられているため内部からの光が遮断された部分（非発光部７）とが設けられている。
【００３０】
筒状体９の発光部６は、各ＬＥＤ素子１０から出射された光を、筒状体９を透過する際に拡散させるため、ＬＥＤ蛍光灯５は照射ムラのない一様な光を発することができる。
前記非発光部７は、筒状体９の周方向の所定範囲（図２において、中心角αである扇形の円弧部分で示す範囲）であって、且つ筒状体９の長手方向に沿って形成されている。これは、ＬＥＤ素子１０の裏面（発光しない部分）側が筒状体９の内周壁に長手方向に沿ったＬＥＤ支持部１０ａに並べて取り付けられ、このＬＥＤ支持部１０ａがＬＥＤ素子１０の表側（発光する部分）から発する光の影になっているためであり、この影の部分が発光しない非発光部７を形成している。なお、非発光部７は、ＬＥＤ支持部１０ａの幅、大きさ等によって、筒状体９の周方向の所定範囲が変わることとなる。
【００３１】
ＬＥＤ蛍光灯５は、非発光部７側が支持枠３の内壁面（つまり、前記上台座２３Ａの下面、下台座２３Ｃの上面）に対向するように配置されている。
このような配置により、発光しない非発光部７が支持枠３の内壁面に近接しているため、反射部材のない台座２３を照らしても光が反射されることがないため、発光手段５からの光を有効に発光面２の内部側に照射でき、照射効率を上げることができる。
【００３２】
ＬＥＤ蛍光灯５は、端子台１１と同様に、枠体４の内壁面に長手方向に略沿って上下に互い違いに取り付けられている。したがって、光源が一定間隔をおいて設けられている場合による明るさのムラがなく、発光面２の長手方向に沿って一様な光を広範囲に亘って照射することができる。
なお、ＬＥＤ素子１０を光源として用いているため、消費電力が従来の蛍光灯の約３分の１から半分となり電気代の節約ができる。
【００３３】
ＬＥＤ蛍光灯５の電源端子１２は、筒状体９の両端部を外嵌したキャップ体１２ａと、このキャップ体１２ａの端面から立設した導通可能な２本の端子ピン１２ｂとを備えている。この端子ピン１２ｂは、蛍光灯用の前記端子台（ソケット）１１に設けられた２つのピン孔１１ａに挿入可能に配置されている。
また、ＬＥＤ蛍光灯５は、市販の蛍光灯と取り換え可能な長さに設定されており、既存の発光装置１内に使用されている蛍光灯用の端子台１１に、ＬＥＤ蛍光灯５を差し込んで使用することが可能となり、光源を従来の蛍光灯からの取り換え時の工費を安くすることができる。
【００３４】
反射手段８は、図１に示す如く、細長い略矩形状の板体を、幅方向略中央にて折り曲げる（つまり、側面視で略Ｖ字形状と）することで形成した反射板８である。反射板８における略Ｖ字形状に二股に分かれた両端部（両基端部）８ａが、上述した台座２３の面取り部２３ａにビス等によって取り付けられる。
図３に示すように、反射板８は、ＬＥＤ蛍光灯５を取り付けた内壁面と対向する支持枠３の内壁面から立設するように取り付けられている。
【００３５】
すなわち、前記上台座２３Ａの下面に取り付けられたＬＥＤ蛍光灯５に対する反射板８は、ＬＥＤ蛍光灯５から離れるにつれて側面視で前後に幅広となるように、その下方且つ下台座２３Ｃの上面から立設されており、前記下台座２３Ｃの上面に取り付けられたＬＥＤ蛍光灯５に対する反射板８は、側面視で前後幅広であって、その上方且つ上台座２３Ａの下面から立設（垂下）されている。
【００３６】
つまり、反射板８は、端子台１１の各対及び各ＬＥＤ蛍光灯５を取り付けた内壁面とは反対側に上下に互い違いに取り付けられており、反射板８とＬＥＤ蛍光灯５とで上下で対をなすように配備されている。
反射板８は、表面（略Ｖ字形状外側の面）に反射性塗料を塗布しており、反射板８を上記のように配備することで、反射板８がＬＥＤ蛍光灯５から離れるにつれて前後の発光面２に近づくこととなるため、光源から遠い部位においても十分な光量を確保できる。
【００３７】
さらに、反射板８は、前記略Ｖ字形状内側へ湾曲し、（ＬＥＤ蛍光灯５の直径の約２０倍の曲率半径）、且つ立設した各反射板８の先端部８ｂが、対となるＬＥＤ蛍光灯５と所定距離（ＬＥＤ蛍光灯５の直径の約３分の１）だけ離れた位置まで延びており、ＬＥＤ蛍光灯５の発光部６からの光を発光面２の内部側全域へ均一に反射可能となっている。
これにより、発光手段５からの光を、照射ムラを抑えながら枠体４の前後の発光面２に対して同時に一様に照射させることができる。
【００３８】
続いて、本発明の第１実施形態の使用態様を説明する。
第１実施形態に係る発光装置１は、従来から設置されていて蛍光灯や白熱電球などを用いている案内表示、看板等に対して、枠体４内部の光源等を取り換えて使用される。
まず、設置済み枠体４の開閉枠２１を開き、枠体４の内部から蛍光灯などの発光手段や、それを支持する支持部材などを取り外す。
【００３９】
次に、枠体４における外枠材２２の内壁面に、台座２３、ＬＥＤ蛍光灯５及び反射板８を取り付ける。このとき、既存の枠体４における発光面２、支持枠３の形状、大きさ等に合わせて、前後発光面２の内部側全域を均一に照射できるように、ＬＥＤ蛍光灯５の形状・大きさ・配置、反射板８の前後幅・表面の曲率半径・ＬＥＤ蛍光灯５までの距離、台座２３の高さ等を規定することとなる。
【００４０】
なお、本実施例においては、前後の発光面２及び支持枠３における左右方向に横長な形状（発光面２は１９５０×２６０ｍｍ、支持枠３は２１３２×３００×１００ｍｍ）に対して、２本のＬＥＤ蛍光灯５（長さ１２６２ｍｍ、直径３０ｍｍで、非発光部７を示す扇形の中心角αが約６０度）を支持枠３の上板２２ａ、下板２２ｃに上下互い違いに配置し、支持枠３内の左右分割する略Ｖ字形状の反射板８（前後幅６０ｍｍ、曲率半径６２０ｍｍ）を各ＬＥＤ蛍光灯５と対になるように２枚配置し、各反射板８の先端部８ｂから各ＬＥＤ蛍光灯５までの距離が約１０ｍｍとなるように、台座２３高さを上板２２ａ、下板２２ｃから３５ｍｍとしている。
【００４１】
上述したようにＬＥＤ蛍光灯５や反射板８等を設置済みの枠体４に配備することで、ＬＥＤ蛍光灯５の発光部６からの光を、対となる反射板８で反射させて、両発光面２の内部側に全域を均一に照射可能となる。
発光装置１の取り付けが完了した後、各ＬＥＤ蛍光灯５に電流を供給し、発光面２を後方から照らすことで、案内表示、広告物等を浮かび上がらせ人目を引く。
【００４２】
なお、ＬＥＤ素子１０を光源として用いているため、蛍光灯と比較して５倍以上の寿命を持つため、光源の取り換え費用などのランニングコストを低く抑えることが可能となる。また、構造が簡素化されているため、故障等の際にも、枠体４を設置した状態のままで開閉枠２１を開き、修理、取り替えが容易にできる等のメリットもある。
［第２実施形態］
続いて、本発明の第２実施形態を説明する。
【００４３】
図４には、本発明の第２実施形態に係る発光装置１が示されている。
第２実施形態に係る発光装置１が第１実施形態と最も異なるところは、枠体４の前面（片面）にのみ発光面２を有する点にある。
発光装置１における枠体４は、発光面２を取り外した枠体４後面側を壁面Ｗに取り付けている。
【００４４】
反射手段（反射板）８は、折り曲げることなく一様な平板状に形成されている。
図４の実線で示す如く、上台座２３ＡにＬＥＤ蛍光灯５を取り付けた場合、当該ＬＥＤ蛍光灯５に対向する下台座２３Ｃの前部から反射板８を立設させ、（つまり、基端部８ａを下台座２３Ｃの前側の面取り部２３ａに取り付け）、反射板８の先端部８ｂは、上台座２３Ａの後側の面取り部２３ａに取り付けられている。つまり、本実施形態においても、反射板８は、対となるＬＥＤ蛍光灯５から離れるにつれて前方の発光面２に近づくように設けられている。
【００４５】
一方、下台座２３ＣにＬＥＤ蛍光灯５を取り付けた場合には、反射板８は、基端部８ａが上台座２３Ａに、先端部８ｂが下台座２３Ｃに取り付けられる（図４の破線参照）。
したがって、発光面２において、ＬＥＤ蛍光灯５から遠い部位であっても、十分な光量を得ることができる。
さらに、反射板８は、前面の発光面２とは反対側（後方）へ湾曲しており、ＬＥＤ蛍光灯５の発光部６からの光を、発光面２の内部側全域へ均一に反射可能となっている。
【００４６】
また、反射板８の先端部８ｂを必ずしも対向する台座２３に固定することなく、前記
先端部８ｂがＬＥＤ蛍光灯５の前後中心より発光面２とは反対側に位置していればよい。
その他の作用効果は第１実施形態と略同様である。
なお、本発明は、前述した実施形態に限定されるものではない。発光装置１等の各構成又は全体の構造、形状、寸法などは、本発明の趣旨に沿って適宜変更することができる。
【００４７】
発光手段５は、ＬＥＤ蛍光灯でなくとも、長尺の円柱状であって、発光部６及び非発光部７を有するものであれば、蛍光灯などであってもよい。
また、発光手段５は、非発光部７を示す扇形の中心角αが約６０度より大きくてもよく、この場合であっても、発光面２の広さや枠体４内部のスペースに応じて、非発光部７側を支持枠３の内壁面に対向するように取り付けた発光手段５の配置、反射手段８における形状、大きさ、表面の曲率半径、発光手段５までの距離、及び台座２３の高さを調節すればよく、発光面２の光量を十分に確保し、照射ムラを抑えることができる。
【００４８】
発光手段５の端子台１１は、既存の枠体４（支持枠３）が長手方向を有する場合等には支持枠３の長さに応じて、１又は３つ以上の発光手段５を上下（又は左右等）互い違いに支持枠３の内壁面に取り付けてもよく、枠体４の形状、大きさに応じて、発光手段５が枠体４内壁に沿うように配備してもよい。これらの場合、反射手段８を、それぞれの発光手段５を取り付けた内壁面と対向する支持枠３の内壁面にそれぞれ設けることとなる。
【００４９】
発光手段５及び反射手段８は、台座２３を介することなく、既存の支持枠３に直接取り付けることとしてもよい。
反射手段８は、略Ｖ字形状内側（つまり、発光面２とは反対側）に湾曲していなくてもよく、反射手段８を先端部８ｂが発光手段５に接するように配備してもよい。
また、反射手段８は、板体に反射性塗料を塗布したものでなくとも、発光手段５からの光を反射させるのであれば、反射率の高い板材などを用いてもよい。
【００５０】
係止部材２６は、開閉枠２１を閉じた状態で保持できるものであれば、ネジ止め、嵌め合い等であってもよい。
【産業上の利用可能性】
【００５１】
本発明は、案内板、広告装置、非常口標識等の発光面を有する発光装置として利用することができる。
【符号の説明】
【００５２】
１      発光装置
２      発光面
３      支持枠
４      枠体
５      発光手段
６      発光部
７      非発光部
８      反射手段
９      筒状体
１０    ＬＥＤ素子
１１    端子台
１２    電源端子
【図２】
0005443098.tif 000002
【図４】
0005443098.tif 000003
【図１】
0005443098.tif 000004
【図３】
0005443098.tif 000005